(57)【要約】本発明は、周波数選択減衰チャネルの時空符号化及び復号化方法を開示する。本方法は、エンコーダが、時空直交型符号化方法を用いて、入力データのタイム−スロットの２つの独立したデータ・フィールドを処理単位とし、これらを符号化して２つのデータ・ベクトルを生成し、それによって２つのダイバーシティ信号を形成し、２つのダイバーシティ信号を同時にそれぞれ１つのダイバーシティ・アンテナを通して伝送するステップと、受信端末が、非直交性によって生じる２つのダイバーシティ信号間の相互干渉を放置するステップと、端末が、マルチ−パス干渉とマルチ−ユーザ干渉とからの２つのダイバーシティ信号への影響を考慮するのみであるジョイント検出を実行し、これにより復号結果を得るステップと、２つのダイバーシティ信号間の干渉を除去するために、ジョイント検出の結果に基づいて干渉中和を実行し、次に、復号化処理のために反復を実行するために前のステップに戻るステップと、を備える。反復回数は予め定義可能である。本発明は、符号化と復号化とのために独立したデータ・フィールドを処理単位とし、復号化はジョイント検出と干渉中和とに基づいた反復方法を用いる。本発明は、周波数選択減衰チャネルの時空符号化及び復号化のための、単純かつ効果的な方法を提供する。
2005530434.tif 000002
【特許請求の範囲】
【請求項１】
周波数選択減衰チャネルの時空符号化及び復号化方法であって、
Ａ．エンコーダが、時空直交符号化方法の処理単位として入力データのタイム−スロットの二の独立データ・フィールドを採用し、該独立データ・フィールドを符号化し、二のデータ・ベクトルを生成することにより、二のダイバーシティ信号を形成し、同時に、各々一のダイバーシティ・アンテナを介して、該二のダイバーシティ信号を送信し、
Ｂ．端末が、前記二のダイバーシティ信号を受信し、該二のダイバーシティ信号間の非直交による相互干渉を放置し、
Ｃ．前記端末が、マルチ−パス干渉及びマルチ−ユーザ干渉による前記二のダイバーシティ信号への影響のみを考慮してジョイント検出を実行することにより、複合化結果を取得し、
Ｄ．二のダイバーシティ信号間の干渉を除去するために、ジョイント検出の結果に基づいて、干渉中和をインプリメントし、複合化処理の反復をインプリメントするためにＣ．へ戻る、
方法。
【請求項２】
Ａ．において、二のダイバーシティ信号は、同時に、一のスマート・アンテナの二のダイバーシティ・ビームを介して各々送信される、請求項１に記載の方法。
【請求項３】
Ｃ．からＤ．まで、及び、Ｄ．からＣ．までの実行回数を決定するために、反復回数を予め定める、ことをさらに含む、請求項１に記載の方法。
【請求項４】
Ｂ．は、
行列（式（１））の右上の要素と左下の要素とをゼロ行列に設定し、
ジョイント検出の単純化した式を取得するために（式（２））を計算する、
ことを含み、
Ｃ．の前記ジョイント検出は単純化したジョイント検出の式（式（３））に基づいて計算され、
Ｄ．のジョイント検出の結果に基づいて干渉中和をインプリメントすることは、
Ｄ１．  （式（４））に基づいて受信データ信号からデータ・フィールドｄｂ（１）の影響を減算することにより、ｒｂ1’とｒｂ2’とを取得し、（式（５））に基づいて受信データ信号から別のデータ・フィールドｄｂ（２）の影響を減算することにより、ｒｂ1”とｒｂ2”とを取得し、
Ｄ２．  Ｃ．において使用される単純化されたジョイント検出の式における第２の式のｒｂ1及びｒｂ2とｒｂ1’及びｒｂ2’とを置換し、Ｃ．において使用される単純化されたジョイント検出の式の第１の式のｒｂ1及びｒｂ2とｒｂ1”及びｒｂ2”とを置換し、該単純化されたジョイント検出の式を計算することにより、ｄｈ（１）及びｄｈ（２）の反復結果を取得する、
ことをさらに含む、
方法であって、
（式（１））において、
Ａｂ1とＡｂ2とは第１及び第２の送信アンテナ及び受信アンテナ間の信号伝送のシステム行列であり、
ＡｂとＢｂとは行列であり、
ｄｈtは受信データ・フィールドの連続する推定値であり、
ｒｂは前記受信データ・フィールドのサンプル値であり、
Ｔは転置行列操作を示し、
＊は共役を示し、
（式（３））において、
ｄｈ（１）とｄｈ（２）とは、二の受信データ・フィールドの連続する推定値であり、
ＢｂSは行列であり、
ｒｂ1とｒｂ2とは、二の受信データ・フィールドのサンプル値であり、
2005530434.tif 000015
であり、
式（１）〜（５）は、
【数１】
2005530434.tif 000016
（１）
【数２】
2005530434.tif 000017
（２）
【数３】
2005530434.tif 000018
（３）
【数４】
2005530434.tif 000019
（４）
【数５】
2005530434.tif 000020
（５）
である、
請求項１に記載の方法。
【請求項５】
前記行列Ｂｂは（式（６））の一により計算され、
前記行列ＢｂSは（式（７））の一により計算され、
（式（６））は、マッチング・フィルタ・スキームと、ゼロ−フォーシング・ブロック等化スキームと、最小平均二乗誤差ブロック等化スキームと、を含み、
（式（６））において、
σ2は雑音電力であり、
Ｉｂは単位行列であり、
（式（７））は、マッチング・フィルタ・スキームと、ゼロ−フォーシング・ブロック等化スキームと、最小平均二乗誤差ブロック等化スキームと、を含み、
（式（７））において、
σ2は雑音電力であり、
Ｉｂは単位行列であり、
2005530434.tif 000021
であり、
式（６）及び（７）は、
【数６】
2005530434.tif 000022
（６）
【数７】
2005530434.tif 000023
（７）
である、
請求項４に記載の方法。
【請求項６】
前記システム行列Ａｂ1及びＡｂ2がチャネル・パルス・レスポンスとユーザ伝送波形とによって決定される、請求項４に記載の方法。
【発明の詳細な説明】
【技術分野】
【０００１】
本発明は、移動体通信技術に関する。より詳細には、周波数選択減衰チャネルの時空符号化及び復号化方法に関する。
【背景技術】
【０００２】
時空符号化は、無線通信システムの性能を効果的に向上させることが可能な重要な方法の１つである。時空符号化には２つのブランチがあり、１つはレイヤード(layered)時空符号化であり、もう１つは伝送ダイバーシティ(diversity)に基づく時空符号化である。伝送ダイバーシティに基づく時空符号化は、さらに、２つの種類に分割可能である。時空ブロック符号化と時空トレリス符号化とである。
【０００３】
高速無線通信技術の進歩とともに、信号伝送帯域及び速度が次第に増加しており、これは、データ・シンボルを伝送するための時間が短縮されていることを意味する。それゆえ、無線伝送チャネルの時間遅延の拡大は放置できない。すなわち、チャネル周波数選択減衰はより悪化しつつある。
【０００４】
従来の時空符号化及び復号化スキームは、フラットな減衰チャネルに基づいて設計されている。これらのスキームが周波数選択減衰チャネルに使用される時には、性能は明らかに悪化する。また、これらのスキームは、アルゴリズムの性能を向上する場合にインプリメントするには複雑過ぎる。
【０００５】
マルチ−ユーザ周波数選択減衰チャネルでは、シンボル間干渉（Ｉｎｔｅｒ−Ｓｙｍｂｏｌ  Ｉｎｔｅｆｅｒｅｎｃｅ）（ＩＳＩ）と多元接続干渉（Ｍｕｌｔｉｐｌｅ  Ａｃｃｅｓｓ  Ｉｎｔｅｆｅｒｅｎｃｅ）（ＭＡＩ）とが同時に存在するから、時空符号化及び復号化の実行は、非常に難しい。周波数選択チャネルでＩＳＩとＭＡＩとを中和するための、等化、ジョイント検出方法等、いくつかの効果的な方法は、時空符号化がその中に含まれている場合には、非常に複雑になったり又は不具合を生じることがある。
【０００６】
第３世代共同プロジェクト−時分割二重通信（３ｒｄ  Ｇｅｎｅｒａｔｉｏｎ  Ｐａｒｔｎｅｒｓｈｉｐ  Ｐｒｏｊｅｃｔ―Ｔｉｍｅ  Ｄｉｖｉｓｉｏｎ  Ｄｕｐｌｅｘ）（３ＧＰＰ−ＴＤＤ）システムでは、マルチ−ユーザ周波数選択減衰チャネルに使用される従来の時空符号化及び復号化スキームは基礎的な共通制御チャネルについて時空符号化を実行するだけである。しかしながら、第３世代共同プロジェクト−周波数分割二重通信（３ｒｄ  Ｇｅｎｅｒａｔｉｏｎ  Ｐａｒｔｎｅｒｓｈｉｐ  Ｐｒｏｊｅｃｔ―Ｆｒｅｑｕｅｎｃｙ  Ｄｉｖｉｓｉｏｎ  Ｄｕｐｌｅｘ）（３ＧＰＰ−ＦＤＤ）システムでは、ほとんどのチャネルについて時空符号化が用いられている。３ＧＰＰ−ＴＤＤ時空符号化スキームは、最初に、１つのシンボルを符号化及び復号化単位とし、次に、データ・フィールドのシンボルの半分を符号化及び復号化単位とする。これらのスキームには、時空符号化が用いられていないスキームと比べてより多くの複雑さを生じるより多くの変更がある。したがって、３ＧＰＰ−ＴＤＤ  ｖ４．３では時空伝送ダイバーシティ（ｓｐａｃｅ−ｔｉｍｅ  ｔｒａｎｓｍｉｓｓｉｏｎ  ｄｉｖｅｒｓｉｔｙ）（ＳＴＴＤ）・スキームは放棄され、空間コード伝送ダイバーシティ（ｓｐａｃｅ  ｃｏｄｅ  ｔｒａｎｓｍｉｓｓｉｏｎ  ｄｉｖｅｒｓｉｔｙ）（ＳＣＴＤ）・スキームが適用される。ＳＣＴＤでは、受信処理手続は単純化されているが、より多くのチャネル・リソースが占有され、より多くのチャネルが用いられる。他の種類のチャネルへの適用は難しく、さらにマルチ−パス・ダイバーシティの状況への適用は不可能である。
【０００７】
高速データを複数のパラレルな低速データに変換して、該低速データを複数のチャネルに伝送させる時空符号化及び復号化スキームがある。しかしながら、実際には、これは物理層上の信号構造及びシステムを完全に変更する時空直交周波数分割多重化（ｓｐａｃｅ−ｔｉｍｅ―ｏｒｔｈｏｇｏｎａｌ  ｆｒｅｑｕｅｎｃｙ  ｄｉｖｉｓｉｏｎ  ｍｕｌｔｉｐｌｅｘｉｎｇ）（ＳＴ−ＯＦＤＭ）方法であるから、実際の使用は非常に制限される。
【０００８】
要約すると、時空符号化及び復号化方法は、無線通信システムの性能を向上するために重要である。通常は、１つのシンボル又はシンボル列が、符号化と復号化とのための処理単位として使用されているが、周波数選択減衰チャネル条件下では、計算の複雑さによって性能の向上が制限される。
【発明の開示】
【発明が解決しようとする課題】
【０００９】
本発明の１つの目的は、わずかな量の計算の複雑さでより優れた性能を得るために、周波数選択減衰チャネルに最適な時空符号化及び復号化方法を設計することである。
【課題を解決するための手段】
【００１０】
本発明は、周波数選択減衰チャネルの時空符号化及び復号化方法であって、該方法は、Ａ．エンコーダが、時空直交符号化方法の処理単位として入力データのタイム−スロットの二の独立データ・フィールドを採用し、該独立データ・フィールドを符号化し、二のデータ・ベクトルを生成することにより、二のダイバーシティ信号を形成し、同時に、各々一のダイバーシティ・アンテナを介して、該二のダイバーシティ信号を送信し、Ｂ．端末が、前記二のダイバーシティ信号を受信し、該二のダイバーシティ信号間の非直交による相互干渉を放置し、Ｃ．前記端末が、マルチ−パス干渉及びマルチ−ユーザ干渉による前記二のダイバーシティ信号への影響のみを考慮してジョイント検出を実行することにより、複合化結果を取得し、Ｄ．二のダイバーシティ信号間の干渉を除去するために、ジョイント検出の結果に基づいて、干渉中和をインプリメントし、複合化処理の反復をインプリメントするためにＣ．へ戻る。
【００１１】
Ａ．において、二のダイバーシティ信号は、同時に、一のスマート・アンテナの二のダイバーシティ・ビームを介して各々送信されてもよい。
【００１２】
本方法は、Ｃ．からＤ．まで、及び、Ｄ．からＣ．までの実行回数を決定するために、反復回数を予め定める、ことをさらに含んでもよい。
【００１３】
本発明の方法は、周波数選択減衰チャネルに最適な、新規な時空符号化及び復号化方法である。本方法は、独立したデータ・フィールドを処理単位とし、復号化はジョイント検出と干渉中和とに基づいた反復方法を適用する。ジョイント検出を行なう時には、マルチ−パス干渉とマルチ−ユーザ干渉とからのダイバーシティ信号への影響のみが考慮され、次に、ダイバーシティ信号間の干渉を除去するために、ジョイント検出結果に基づいて、干渉中和が実行される。
【００１４】
本発明において提案された時空符号化及び復号化スキームを用いて、周波数選択減衰チャネル内では、わずかな量の計算の複雑さで優れた性能が実現可能である。本発明は、周波数選択減衰チャネルに、符号化と復号化のための、単純かつ効果的な解決法を提供する。
【発明を実施するための最良の形態】
【００１５】
本発明を、添付の図を参照して以下でより詳細に説明する。
【００１６】
周波数選択減衰チャネルでは、ＩＳＩは隣接シンボル間に存在する。それゆえ、一般的な時空符号化方法では、ダイバーシティ信号間の干渉ばかりでなく、隣接符号化ユニット間の干渉及び隣接符号化ブロック間の干渉もある。干渉が放置される場合には、通信性能は悪化することがある。しかしながら、干渉が考慮される場合には、計算の複雑さは非常に増加することがある。
【００１７】
本発明による符号化及び復号化方法では、独立したデータ・ブロックが処理単位とされるから、隣接符号化ユニット及び隣接符号化ブロック間の干渉が存在せず、信号検出と符号化処理とを単純にする。この処理方法は、時空符号化処理が用いられていない処理方法とかなり類似しているか又は互換性がある。時空符号化状況では、ＩＳＩとＭＡＩとを中和するための多くの処理スキームが、わずかな量の変更で使用可能である。
【００１８】
図１は、３ＧＰＰ−ＴＤＤシステム内のタイム−スロットＣＤＭＡバースト・データのデータ構造を示す。図１からは、マルチ−ユーザ又はマルチ−チャネルのパラレルなＫバースト・データ内には、各タイム−スロットが２つのデータ・フィールド（又はデータ・ブロックと呼ばれる）であるデータ・フィールド１とデータ・フィールド２とを備え、これらの２つのデータ・フィールド間にはミッドアンブルがあることがわかる。このため、これらの２つのデータ・フィールドは独立しており、これらの間に相互干渉はない。タイム−スロットの最後はガード・ピリオド（ＧＰ）である。すべてのデータ・フィールドはＮ個のシンボルを有し、すべてのシンボルはＱ個のチップから成る。
【００１９】
本発明では、独立したデータ・フィールドが符号化のための処理単位として使用されており、受信側でも、復号化は、データ・フィールドを処理単位とする。この方法が二のダイバーシティ(double diversity)で使用されている時には単純である（理論的には多数のダイバーシティで使用可能であるが、複雑さが増し、それゆえ実用的でない）。それゆえ、本発明による符号化及び復号化方法は、信号構造と処理方法とについて、わずかな量の変更で用いられることができる。さらに、２つのデータ・フィールドが独立しており、また、それらの間には干渉がないから、検出及び復号化方法は単純化と改善とが可能であり、より優れた性能が、わずかな計算量又はわずかな量の反復回数で得られる。
【００２０】
図２は、データ・フィールドを処理単位とする時空エンコーダ２０を示す。エンコーダ２０の入力データ、つまり、タイム−スロット内の情報データ・ベクトルｄは、ｄｂ＝［ｄｂT（１）ｄｂT（２）］Tとして表すことができる。ｄｂ（１）とｄｂ（２）とは２つの独立したデータ・フィールドであり、３ＧＰＰ−ＴＤＤシステムでは、それらは１つのタイム−スロット内の２つのデータ・フィールドであってよい。Ｔは転置操作を示す。エンコーダ２０によって符号化されたデータは［ｄｂT（１）ｄｂT（２）］Tと［−ｄｂ*T（２）ｄｂ*T（１）］Tとである。＊は共役を表す。２つの生成されたデータ・ベクトルは、２つの異なる従来のダイバーシティ・アンテナであるダイバーシティ・アンテナ１とダイバーシティ・アンテナ２とによって、又は１つのスマート・アンテナの２つの異なるダイバーシティ・ビームであるスマート・アンテナ・ダイバーシティ・ビーム１とスマート・アンテナ・ダイバーシティ・ビーム２とによって、同時に伝送可能である。つまり、ダイバーシティ・アンテナ１（又はダイバーシティ・ビーム１）はデータ・ベクトル［ｄｂT（１）ｄｂT（２）］Tを伝送し、同時にダイバーシティ・アンテナ２（又はダイバーシティ・ビーム２）はデータ・ベクトル［−ｄｂ*T（２）ｄｂ*T（１）］Tを伝送し、これにより時空符号化が実現される。具体的には、入力データ［ｄｂT（１）ｄｂT（２）］Tは従来の時空ダイバーシティ直交型符号化方法によって符号化され、２つの出力データ・ベクトル［ｄｂT（１）ｄｂT（２）］Tと［−ｄｂ*T（２）ｄｂ*T（１）］Tとが得られ、２つのダイバーシティ・アンテナを介して同時にそれぞれ伝送される。
【００２１】
以下、データ・フィールドを処理単位とする時空符号化モードのための検出及び復号化方法について説明する。すなわち、設計されたデータ・フィールド符号化スキームに対応する検出及び復号化スキームについて説明する。ここでは、オリジナル検出及び復号化方法と呼ばれる。
【００２２】
データ・フィールドに対応するデータは、式（１）として表現可能である。
【００２３】
【数１】
2005530434.tif 000003
【００２４】
ここで、ｉは１、２であり、Ｋは同時に作業する端末ユーザの数であり、Ｎはユーザ・データ・フィールド内のシンボルの数である。
【００２５】
ｒｂ1とｒｂ2とが端末で受信された２つのデータ・フィールドのサンプル値を表し、ｒｂ1とｒｂ2との間には周波数選択減衰チャネル上にさえ干渉がないとする。ｒｂ1とｒｂ2とは式（２）として表現可能である。
【００２６】
【数２】
2005530434.tif 000004
【００２７】
ここで、ｎｂiはｉ番目のデータ・フィールドの雑音ベクトルであり、Ａｂiはｉ番目の伝送アンテナと受信アンテナとの間の信号伝送のシステム行列であり、システム行列はチャネル・パルス・レスポンスとユーザ伝送波形とによって決定される。式（２）は、式（３）に書き替えることができる。
【００２８】
【数３】
2005530434.tif 000005
ここで、ｒｂ＝［ｒｂ1T，ｒｂ2*T］T，ｄｂt＝［ｄｂT（１）ｄｂ*T（２）］T，ｎｂ＝［ｎｂ1T，ｎｂ2*T］Tであり、Ａｂは式（４）で表される。
【００２９】
【数４】
2005530434.tif 000006
【００３０】
式（４）から、式（５）が得られる。
【００３１】
【数５】
2005530434.tif 000007
【００３２】
行列Ａｂは、周波数選択減衰チャネルの条件下では直交型行列ではない。このため、マッチング・フィルタが用いられる場合には、性能が悪くなる。より優れた性能を得るために、最適化された線形ジョイント検出スキームが提供される。受信データｄｂｔの連続的な推定値ｄｈtは、式（６）で表される。
【００３３】
【数６】
2005530434.tif 000008
【００３４】
ここで、（Ｂｂ）-1は干渉抑制（Ｂｂについて逆行列を求める操作を実行する）の機能を有し、Ａｂ*Tｒｂは、直交マッチング（ｍａｔｃｈ）の結果である。行列Ｂｂは式（７）で示される。
【００３５】
【数７】
2005530434.tif 000009
【００３６】
ここで、σ2は雑音電力(noise power)であり、Ｉｂは単位行列である。式（７）は三の解を示す。その中で、ＭＦはマッチング・フィルタ・スキーム(matched filter scheme)を表し、ＺＦ−ＢＬＥはゼロ−フォーシング(forcing)・ブロック等化スキームを表し、ＭＭＳＥ−ＢＬＥは最小平均二乗誤差ブロック等化スキームを表す。
【００３７】
行列Ｂｂの次元は２ＮＫ×２ＮＫであるから、式（６）の計算の複雑さは時空符号化のない状況下の複雑さよりもはるかに大きい。それゆえ、本発明において提案された処理の単純化及び計算量の削減という目的は、オリジナルのジョイント検出アルゴリズムでは実現できない。
【００３８】
上述の設計に基づいて、本発明は、わずかな計算量という特徴を有する単純化された復号化処理を提供する。
【００３９】
単純化されたアルゴリズムは、反復アルゴリズムである。それは、２つのステップに分割されている。第１のステップでは、すべてのダイバーシティ信号に対しマルチ−パス干渉及びマルチ−ユーザ干渉のみが考慮され、式（５）の右上の要素（（Ａｂ1*TＡｂ2）T−Ａｂ1*TＡｂ2）と式（５）の左下の要素（（（Ａｂ1*TＡｂ2）T−Ａｂ1*TＡｂ2）*T）とがゼロ(null)に設定され、次に、式（６）が計算される。第２のステップでは、ダイバーシティ信号間の干渉を除去するために、干渉が、第１のステップの結果により中和される。この処理は、複数の反復によって実行可能である。
【００４０】
図３は、本発明の単純化された復号化処理のフローチャートである。
【００４１】
ステップ３１では、端末がデータを受信する。
【００４２】
ステップ３２では、非直交性によって生じたダイバーシティ信号間の相互干渉が放置され、式（５）の右上の要素と左下の要素とがゼロに設定される（それらは、フラットな減衰チャネルの条件下ではゼロである）。
【００４３】
ステップ３３では、ジョイント検出が実行される。ここでは、すべてのダイバーシティ信号へのマルチ−パス干渉及びマルチ−ユーザ干渉のみが考慮される。この場合には、式（６）が以下に示されるように、式（８）に単純化される。
【００４４】
【数８】
2005530434.tif 000010
【００４５】
式（８）は、単純化されたジョイント検出の結果を与える。式（８）内の行列ＢｂSは、式（９）によって与えられる。
【００４６】
【数９】
2005530434.tif 000011
【００４７】
ここで、σ2は雑音電力であり、Ｉｂは単位行列である。行列ＢｂSの計算にも三の方法がある。マッチング・フィルタＭＦと、ゼロ−フォーシング・ブロック等化ＺＦ−ＢＬＥと、最小平均二乗誤差ブロック等化ＮＭＳＥ−ＢＬＥと、である。
【００４８】
行列ＢｂSの次元はＮＫ×ＮＫであるから、式（８）の計算の複雑さは式（６）の複雑さよりはるかに少なく、時空符号化のない状況下の複雑さと同様である。
【００４９】
ステップ３４では、反復回数が所定の数Ｍ以上であるかが判断される。通常、Ｍは１又は２に設定される。
【００５０】
反復回数が所定の数Ｍ以上である時は、ステップ３５で、式（８）の計算結果が復号化結果として直接出力される。
【００５１】
反復回数が所定の数Ｍよりも少ない時には、ステップ３６で、ダイバーシティ信号間の干渉を除去するように、干渉中和を実行するために、式（８）の計算結果が使用される。すなわち、２つのダイバーシティ信号間の残りの干渉を中和するために、干渉中和方法が使用される。これは、以下のように行なわれる。
【００５２】
式（１０）に示されるように、「クリーンな」信号を得るために、受信されたデータ信号からｄｂ（１）の影響が減算される。
【００５３】
【数１０】
2005530434.tif 000012
【００５４】
そして、式（１１）に示されるように、別の「クリーンな」信号を得るために、受信された信号からｄｂ（２）の影響が減算される。
【００５５】
【数１１】
2005530434.tif 000013
【００５６】
反復動作が実行される。詳細には、式（８）の第２の式のｒｂ1とｒｂ2とがそれぞれ式（１０）の結果であるｒｂ1’とｒｂ2’とで置換され、式（８）の第１の式のｒｂ1とｒｂ2とがそれぞれ式（１１）の結果であるｒｂ1”とｒｂ2”とで置換され、次に一の反復動作の後に復号化結果を得るために、式（８）が再計算される。
【００５７】
式（８）の最後の結果ｄｈ（１）とｄｈ（２）とを式（１０）と式（１１）とに代入することによって、第２の反復動作が実行可能である。つまり、ｒｂ1’、 ｒｂ2’ 、 ｒｂ1”及び ｒｂ2”の得られた結果は再び式（８）に代入され、次に、第２の反復動作の後に復号結果を得るために、式（８）が再計算される。
【００５８】
反復処理はＭ回実行可能であり、これが、単純化されたジョイント検出アルゴリズムである。
【００５９】
経験上、オリジナルのジョイント検出アルゴリズムの性能を達成するためには、通常１回から２回等、数回のみの反復回数が必要とされる。それゆえ、本発明による単純化されたジョイント検出は、わずかな量の計算の複雑さでより優れた性能を得ることができる。
【００６０】
本発明は、符号化入力のために独立したデータ・フィールドを処理単位とする時空符号化及び復号化方法を提案する。本発明は、データ・シンボル又はシンボル列を処理単位とする従来の方法とは異なる。本発明により提案された方法を用いると、わずかな量の計算の複雑さでより優れた性能を得るために、単純化された復号化方法が設計される。
【００６１】
本発明は、周波数選択減衰チャンネルに、時空符号化及び復号化のための、単純かつ効果的な解決法を提供する。
【００６２】
なお、上記において使用された以下において左側に示される記号は、右側に示される記号を意味する。
2005530434.tif 000014
【図面の簡単な説明】
【００６３】
【図１】タイム−スロットＣＤＭＡバースト・データのデータ構造を示す概略図である。
【図２】データ・フィールドを処理単位とする場合の時空エンコーダの入力及び出力を示す。
【図３】本発明による単純化された復号処理を示すフローチャートである。
【図１】
2005530434.tif 000024
【図２】
2005530434.tif 000025
【図３】
2005530434.tif 000026
【国際調査報告】
2005530434.tif 000027
2005530434.tif 000028
2005530434.tif 000029
2005530434.tif 000030